【手続補正書】
【提出日】平成29年2月17日(2017.2.17)
【手続補正１】
【補正対象書類名】明細書
【補正対象項目名】００５０
【補正方法】変更
【補正の内容】
【００５０】
当業者には、本発明の広範な発明的概念から逸脱することなく、上述した実施形態に対して変更を行うことができることが理解される。したがって、本発明は開示された特定の実施形態に限定されず、添付の特許請求の範囲によって規定される本発明の趣旨及び範囲内での変更を包含することが意図されることが理解される。また、完全なコネクター１００、２００、３００、５００又はそれぞれのベース部１０２、２０２、３０２、５０２を有しないコネクター１００、２００、３００、５００の設計態様が可能である。
なお、本発明は以下の特徴を以って実施することができる。
［特徴１］
ワイパーブレードと複数のタイプのワイパーアームとの連結に用いるキットにおいて、
容器と、
前記容器の内部に配置される一組のコネクターとを備え、
前記一組のコネクターは、
第１の種類のワイパーアームに含まれる少なくとも２つの異なるワイパーアームを受容し、該少なくとも２つの異なるワイパーアームに連結される構造部を有する第１のコネクターと、
第２の種類のワイパーアームに含まれる少なくとも２つの異なるワイパーアームを受容し、該少なくとも２つの異なるワイパーアームに連結される構造部を有する第２のコネクターと、
第３の種類のワイパーアームに含まれる少なくとも２つの異なるワイパーアームを受容し、該少なくとも２つの異なるワイパーアームに連結される構造部を有する第３のコネクターとを含み、
前記第１と、第２と、第３の種類は互いに異なっているキット。
［特徴２］
前記キットは、前記容器の前記内部に配置され、前記第１のコネクター、前記第２のコネクター、及び前記第３のコネクターに取付け可能であるワイパーブレードを備える特徴１に記載のキット。
［特徴３］
前記第１のコネクター、前記第２のコネクター、及び前記第３のコネクターの各々は一体設計である特徴１に記載のキット。
［特徴４］
前記第１の種類はチャンネル型ワイパーアームである特徴１に記載のキット。
［特徴５］
前記第１のコネクターは、
ワイパーブレードに取付けられるベース部と、
前記ベース部に取着された受容部材とを備え、
前記受容部材は、
支持面と、
前記支持面から離間して該支持面に対面する係合面とを有し、
前記可撓性係合面と前記支持面とは、ワイパーアームの表面をぴったりと受容するような寸法のスロットを有し、
前記係合面は、
第１の側方支持部と、
前記第１の側方支持部に対面する第２の側方支持部と、
係合舌片とを含み、
前記係合舌片の一方の端部が前記第１の側方支持部及び前記第２の側方支持部の双方に取付けられ、反対側の端部が、自由であるとともに前記支持面に対面する突出部を有している特徴４に記載のキット。
［特徴６］
前記第１の側方支持部及び前記第２の側方支持部は前記係合舌片とは独立して動き、該係合舌片は該第１の側方支持部及び該第２の側方支持部とは独立して動く特徴５に記載のキット。
［特徴７］
前記係合舌片は、前記突出部の反対側に位置する解除ノッチを有する特徴５に記載のキット。
［特徴８］
前記支持部は、一対の可撓性翼状停止部を更に含み、該一対の可撓性翼状停止部は、互いに対面し、前記スロットの長手軸に対して垂直の方向に沿って互いに接近するように押圧可能となっている特徴５に記載のキット。
［特徴９］
前記第１のコネクターの前記構造部は、少なくともＩ＆Ｌワイパーアーム及びＰＴＢワイパーアームを受けて、少なくとも該Ｉ＆Ｌワイパーアーム及び該ＰＴＢワイパーアームに連結することを可能にする特徴４に記載のキット。
［特徴１０］
前記第１の種類はＪ字フックワイパーアームである特徴１に記載のキット。
［特徴１１］
前記第１のコネクターは、
ワイパーブレードに取付けられるベース部と、
前記ベース部に取着された受容部材とを備え、
前記受容部材は、
該受容部材の長手軸に沿って延びる第１のチャンネルと、
前記長手軸に沿って延びる第２のチャンネルであって、該第２のチャンネルは前記第１のチャンネルに対して平行である第２のチャンネルとを有する構造部を有し、
前記長手軸に対して垂直の方向に沿って見たときに、前記第１のチャンネル及び前記第２のチャンネルを同時に視認可能である特徴１０に記載のキット。
［特徴１２］
前記長手軸に対して垂直の方向に沿って見たときに、前記第１のチャンネル及び前記第２のチャンネルを同時に視認可能である開位置から、前記第１のチャンネル及び前記第２のチャンネルを視認可能でない閉位置に回動可能に前記受容部材に取着されたロック用キャップを更に備える特徴１１に記載のキット。
［特徴１３］
前記受容部材は、
側壁と、
前記側壁に取付けられ、前記長手軸に対して垂直の方向に延びる端壁と、
前記端壁及び前記側壁に取付けられる底壁と、
前記側壁に取付けられる仕切りとを有し、
前記側壁と、前記端壁と、前記底壁と、前記仕切りとが前記第１と第２のチャンネルを形成する特徴１１に記載のキット。
［特徴１４］
前記端壁は、前記長手方向に沿って可動である自由端部を有する特徴１３に記載のキット。
［特徴１５］
前記仕切りは、
前記側壁から前記長手方向に対して垂直の方向に延びる第１の面であって、該第１の面と前記壁とが前記第１のチャンネルを少なくとも部分的に形成する第１の面と、
前記側壁から前記長手方向に対して垂直の方向に延びる第２の面であって、該第２の面と前記壁とが前記第２のチャンネルを少なくとも部分的に形成する第２の面とを有する特徴１３に記載のキット。
［特徴１６］
前記第１のコネクターの前記構造部は、少なくとも第１のＪ字フックワイパーアーム及び該第１のＪ字フックワイパーアームよりもサイズが大きい第２のＪ字フックワイパーアームを受けて、少なくとも該第１のＪ字フックワイパーアーム及び該第２のＪ字フックワイパーアームに連結することを可能にする特徴１０に記載のキット。
［特徴１７］
前記第１の種類はピンワイパーアームである特徴１に記載のキット。
［特徴１８］
前記第１のコネクターは、
ワイパーブレードに取付けられるベース部と、
前記ベース部に取着された受容部材とを備え、
前記受容部材は、
該受容部材を前記ベース部に連結する取付部と、
ピンワイパーアームを受容する穴と、
凹部を有するキャップであって、該キャップは、開位置から閉位置に回動し、該閉位置において、前記凹部は前記穴に受容された前記ワイパーアームに係合するキャップとを有する特徴１７に記載のキット。
［特徴１９］
前記受容部材は、前記ワイパーアームとはサイズが異なる第２のワイパーアームを受容する第２の穴を有し、前記キャップは第２の凹部を有し、前記キャップが前記開位置から前記閉位置に回動すると、前記第２の凹部が前記第２の穴が受けている前記第２のワイパーアームに係合する特徴１８に記載のキット。
［特徴２０］
前記第１の種類はチャンネル型ワイパーアームであり、前記第２の種類はＪ字フックワイパーアームであり、前記第３の種類はピンワイパーアームである特徴１に記載のキット。
［特徴２１］
前記第１のコネクターは、
ワイパーブレードに取付けられる第１のベース部と、
前記第１のベース部に取付けられる第１の受容部材とを備え、
前記受容部材は、
支持面と、
前記支持面から離間して該支持面に対面する係合面とを有し、
前記可撓性係合面と前記支持面とは、ワイパーアームの表面をぴったりと受容するような寸法であるスロットを有し、
前記係合面は、
第１の側方支持部と、
前記第１の側方支持部に対面する第２の側方支持部と、
係合舌片とを含み、
前記係合舌片の一方の端部が、前記第１の側方支持部及び前記第２の側方支持部の双方に取付けられ、該係合舌片の反対側の端部が、自由であるとともに、前記支持面に対面する突出部を有し、
前記第２のコネクターは、
ワイパーブレードに取付けられる第２のベース部と、
前記第２のベース部に取付けられる第２の受容部材とを備え、
前記第２の受容部材は、
該第２の受容部材の長手軸に沿って延びる第１のチャンネルと、
前記長手軸に沿って延びる第２のチャンネルであって、該第２のチャンネルは、前記第１のチャンネルに対して平行な第２のチャンネルとを有する構造部を有し、
前記長手軸に対して垂直の方向に沿って見たときに、前記第１のチャンネル及び前記第２のチャンネルを同時に視認可能であり、
前記第３のコネクターは、
ワイパーブレードに取付けられる第３のベース部と、
前記第３のベース部に取付けられる第３の受容部材とを備え、
前記第３の受容部材は、
該第３の受容部材を前記第３のベース部に連結する取付部と、
ピンワイパーアームを受容する穴と、
凹部を有するキャップであって、該キャップは、開位置から閉位置に回動し、該閉位置において、前記凹部は前記穴に受容された前記ワイパーアームに係合するキャップとを有する特徴１に記載のキット。
［特徴２２］
前記第１のコネクターの前記構造部は、少なくともＩ＆Ｌワイパーアーム及びＰＴＢワイパーを受けて、少なくとも該Ｉ＆Ｌワイパーアーム及び該ＰＴＢワイパーに連結することを可能にし、前記第２のコネクターの前記構造部は、少なくとも第１のＪ字フックワイパーアーム及び該第１のＪ字フックワイパーアームよりもサイズが大きい第２のＪ字フックワイパーアームを受けて、少なくとも該第１のＪ字フックワイパーアーム及び該第２のＪ字フックワイパーアームに連結することを可能にし、前記第３のコネクターの前記構造部は、少なくとも第１のピンワイパーアーム及び該第１のピンワイパーアームよりもサイズが大きい第２のピンワイパーアームを受けて、少なくとも該第１のピンワイパーアーム及び該第２のピンワイパーアームに連結することを可能にする特徴２０に記載のキット。
［特徴２３］
ワイパーブレードとワイパーアームとを連結するコネクターにおいて、
ワイパーブレードに取付けられるベース部と、
前記ベース部に取着された受容部材と、
を備え、前記受容部材は、以下のものを有する構造部、すなわち、
該受容部材の長手軸に沿って延びる第１のチャンネルと、
前記長手軸に沿って延びる第２のチャンネルであって、該第２のチャンネルは、前記第１のチャンネルに対して平行な第２のチャンネルと、
を有する構造部を有し、前記長手軸に対して垂直の方向に沿って見たときに、前記第１のチャンネル及び前記第２のチャンネルを同時に視認可能である、コネクター。
［特徴２４］
前記第１のチャンネル及び前記第２のチャンネルのそれぞれが、前記長手軸に対して垂直の方向において測定したとき略１ｃｍの幅を有する特徴２３に記載のコネクター。
［特徴２５］
前記受容部材に回動可能に取着されるロック用キャップであって、該ロック用キャップは、前記長手軸に対して垂直の方向に沿って見たときに、前記第１のチャンネル及び前記第２のチャンネルを同時に視認可能である開位置から、前記第１のチャンネル及び前記第２のチャンネルを視認可能でない閉位置に回動可能である、ロック用キャップを更に備える特徴２３に記載のコネクター。
［特徴２６］
前記受容部材は、
側壁と、
前記側壁に取付けられ、前記長手軸に対して垂直の方向に延びる端壁と、
前記端壁及び前記側壁に取付けられる底壁と、
前記側壁に取付けられる仕切りと、
を有し、前記側壁と、前記端壁と、前記底壁と、前記仕切りとが前記第１と第２のチャンネルを形成する特徴２３に記載のコネクター。
［特徴２７］
前記端壁は、前記長手方向に沿って可動である自由端部を有する特徴２６に記載のコネクター。
［特徴２８］
前記仕切りは、
前記側壁から前記長手方向に対して垂直の方向に延びる第１の面であって、該第１の面と前記壁とが前記第１のチャンネルを少なくとも部分的に形成する第１の面と、
前記側壁から前記長手方向に対して垂直の方向に延びる第２の面であって、該第２の面と前記壁とが前記第２のチャンネルを少なくとも部分的に形成する第２の面と、
を有する特徴２６に記載のコネクター。
［特徴２９］
前記受容部材は、前記長手軸に沿って延びる第３のチャンネルを有する構造部を有し、該第３のチャンネルは前記第１のチャンネルに対して平行であり、前記長手軸に対して垂直の方向に沿って見たときに、前記第１のチャンネル、前記第２のチャンネル、及び前記第３のチャンネルを同時に視認可能である特徴２３に記載のコネクター。
［特徴３０］
前記受容部材は、
側壁と、
前記側壁に取付けられ、前記長手軸に対して垂直の方向に延びる端壁と、
前記端壁及び前記側壁に取付けられる底壁と、
前記側壁に取付けられる仕切りと、
を有し、前記側壁と、前記端壁と、前記底壁と、前記仕切りとが前記第１のチャンネルと、前記第２のチャンネルと、前記第３のチャンネルとを形成する特徴２９に記載のコネクター。
［特徴３１］
前記仕切りは、
前記側壁から前記長手方向に対して垂直の方向に延びる第１の面であって、該第１の面と前記壁とが前記第１のチャンネルを少なくとも部分的に形成する第１の面と、
前記側壁から前記長手方向に対して垂直の方向に延びる第２の面であって、該第２の面と前記壁とが前記第２のチャンネルを少なくとも部分的に形成する第２の面と、
前記側壁から前記長手方向に対して垂直の方向に延びる第３の面であって、該第３の面と前記壁とが前記第３のチャンネルを少なくとも部分的に形成する第３の面と、
を有する特徴３０に記載のコネクター。
［特徴３２］
前記第１のチャンネル、前記第２のチャンネル、及び前記第３のチャンネルのそれぞれが、前記長手軸に対して垂直の方向において測定したとき略１ｃｍの幅を有する特徴２９に記載のコネクター。
［特徴３３］
フロントガラスワイパーにおいて、
ワイパーブレードと、
ワイパーアームと、
コネクターと、
を備え、前記コネクターは、
前記ワイパーブレードに取付けられるベース部と、
前記ベース部に取着された受容部材と、
を備え、前記受容部材は、以下のものを有する構造部、すなわち、
該受容部材の長手軸に沿って延びる第１のチャンネルと、
前記長手軸に沿って延びる第２のチャンネルであって、該第２のチャンネルは前記第１のチャンネルに対して平行な第２のチャンネルと、
を有する構造部を有し、前記ワイパーアームは、前記第１のチャンネル及び前記第２のチャンネルにぴったりと受けられ、前記ワイパーアームを前記第１のチャンネル及び前記第２のチャンネルにぴったりと受容する前は、前記長手軸に対して垂直の方向に沿って見たときに、前記第１のチャンネル及び前記第２のチャンネルを同時に視認可能である、フロントガラスワイパー。
［特徴３４］
前記ワイパーアームはＪ字フックワイパーアームである特徴３３に記載のフロントガラスワイパー。
［特徴３５］
前記第１のチャンネル及び前記第２のチャンネルのそれぞれが、前記長手軸に対して垂直の方向において測定したとき略１ｃｍの幅を有する特徴３３に記載のフロントガラスワイパー。
［特徴３６］
前記受容部材に回動可能に取着されるロック用キャップであって、該ロック用キャップは、前記第１のチャンネル及び前記第２のチャンネルにある前記ワイパーアームが視認可能である開位置から、前記第１のチャンネル及び前記第２のチャンネルを視認可能でない閉位置に回動可能である、ロック用キャップを更に備える特徴３３に記載のフロントガラスワイパー。
［特徴３７］
前記受容部材は、
側壁と、
前記側壁に取付けられ、前記長手軸に対して垂直の方向に延びる端壁と、
前記端壁及び前記側壁に取付けられる底壁と、
前記側壁に取付けられる仕切りと、
を有し、前記側壁と、前記端壁と、前記底壁と、前記仕切りとが前記第１と第２のチャンネルを形成する特徴３２に記載のフロントガラスワイパー。
［特徴３８］
前記端壁は、前記長手方向に沿って可動である自由端部を有する特徴３７に記載のフロントガラスワイパー。
［特徴３９］
前記仕切りは、
前記側壁から前記長手方向に対して垂直の方向に延びる第１の面であって、該第１の面と前記壁とが前記第１のチャンネルを少なくとも部分的に形成する第１の面と、
前記側壁から前記長手方向に対して垂直の方向に延びる第２の面であって、該第２の面と前記壁とが前記第２のチャンネルを少なくとも部分的に形成する第２の面と、
を有する特徴３７に記載のフロントガラスワイパー。
［特徴４０］
前記受容部材は、前記長手軸に沿って延びる第３のチャンネルを有する構造部を有し、該第３のチャンネルは前記第１のチャンネルに対して平行であり、前記長手軸に対して垂直の方向に沿って見たときに、前記第１のチャンネル、前記第２のチャンネル、及び前記第３のチャンネルを同時に視認可能である特徴３３に記載のフロントガラスワイパー。
［特徴４１］
前記受容部材は、
側壁と、
前記側壁に取付けられ、前記長手軸に対して垂直の方向に延びる端壁と、
前記端壁及び前記側壁に取付けられる底壁と、
前記側壁に取付けられる仕切りと、
を有し、前記側壁と、前記端壁と、前記底壁と、前記仕切りとが前記第１のチャンネルと、前記第２のチャンネルと、前記第３のチャンネルとを形成する特徴４０に記載のフロントガラスワイパー。
［特徴４２］
前記仕切りは、
前記側壁から前記長手方向に対して垂直の方向に延びる第１の面であって、該第１の面と前記壁とが前記第１のチャンネルを少なくとも部分的に形成する第１の面と、
前記側壁から前記長手方向に対して垂直の方向に延びる第２の面であって、該第２の面と前記壁とが前記第２のチャンネルを少なくとも部分的に形成する第２の面と、
前記側壁から前記長手方向に対して垂直の方向に延びる第３の面であって、該第３の面と前記壁とが前記第３のチャンネルを少なくとも部分的に形成する第３の面と、
を有する特徴４１に記載のフロントガラスワイパー。
［特徴４３］
前記第１のチャンネル、前記第２のチャンネル、及び前記第３のチャンネルのそれぞれが、前記長手軸に対して垂直の方向において測定したとき略１ｃｍの幅を有する特徴４０に記載のフロントガラスワイパー。
［特徴４４］
ワイパーブレードとワイパーアームとを連結するコネクターにおいて、
ワイパーブレードに取付けられるベース部と、
前記ベース部に取着された受容部材とを備え、
前記受容部材は、ただ１種類のワイパーブレードに取付けられる構造部を有し、
前記受容部材は、
支持面と、
前記支持面から離間して該支持面に対面する係合面とを有し、
前記可撓性係合面と前記支持面とは、ワイパーアームの表面をぴったりと受容するような寸法のスロットを有し、
前記係合面は、
第１の側方支持部と、
前記第１の側方支持部に対面する第２の側方支持部と、
係合舌片とを含み、
前記係合舌片の一方の端部が、前記第１の側方支持部及び前記第２の側方支持部の双方に取付けられており、該係合舌片の反対側の端部が、自由であるとともに、前記支持面に対面する突出部を有しているコネクター。
［特徴４５］
前記第１の側方支持部及び前記第２の側方支持部は前記係合舌片とは独立して動き、該係合舌片は該第１の側方支持部及び該第２の側方支持部とは独立して動く特徴４４に記載のコネクター。
［特徴４６］
前記支持部は一対の可撓性翼状停止部を更に含み、該一対の可撓性翼状停止部は互いに対面し、前記スロットの長手軸に対して垂直の方向に沿って互いに接近するように押圧可能となっている特徴４４に記載のコネクター。
［特徴４７］
前記種類はチャンネルアーム型ワイパーアームである特徴４４に記載のコネクター。
［特徴４８］
ワイパーブレードと複数のタイプのワイパーアームとの連結に用いるキットにおいて、
容器と、
前記容器の内部に配置される一組のコネクターとを備え、
前記一組のコネクターは、
第１の種類のワイパーアームに含まれる少なくとも２つの異なるワイパーアームを受容し、該少なくとも２つの異なるワイパーアームに連結される構造部を有する第１のコネクターと、
第２の種類のワイパーアームに含まれる少なくとも２つの異なるワイパーアーム及び第３の種類のワイパーアームに含まれる少なくとも２つの異なるワイパーアームを受けて、これらのワイパーアームに連結される構造部を有する第２のコネクターとを含み、
前記第１と、第２と、第３の種類は互いに異なっているキット。
［特徴４９］
前記キットは、前記容器の前記内部に配置され、前記第１のコネクター及び前記第２のコネクターに取付け可能であるワイパーブレードを備える特徴４８に記載のキット。
［特徴５０］
前記第１のコネクター及び前記第２のコネクターの各々は一体設計である特徴４８に記載のキット。
［特徴５１］
前記第１の種類はＪ字フックワイパーアームである特徴４８に記載のキット。
［特徴５２］
前記第１のコネクターは、
ワイパーブレードに取付けられるベース部と、
前記ベース部に取着された受容部材とを備え、
前記受容部材は、
該受容部材の長手軸に沿って延びる第１のチャンネルと、
前記長手軸に沿って延びる第２のチャンネルであって、該第２のチャンネルは前記第１のチャンネルに対して平行な第２のチャンネルとを有する構造部を有し、
前記長手軸に対して垂直の方向に沿って見たときに、前記第１のチャンネル及び前記第２のチャンネルを同時に視認可能である特徴５１に記載のキット。
［特徴５３］
前記第２のコネクターの前記構造部は、少なくともＩ＆Ｌワイパーアーム、ＰＴＢワイパーアーム、及び２つのサイズのＪ字フックワイパーアームを受けて、少なくともこれらのワイパーアームに連結することを可能にする特徴４８に記載のキット。
［特徴５４］
前記第２のコネクターは、を備える特徴５３に記載のキット。
［特徴５５］
ワイパーブレードとワイパーアームとを連結するコネクターにおいて、
ワイパーブレードに取付けられるベース部と、
前記ベース部に回動可能に取着される受容部材とを備え、
前記受容部材は２種類のワイパーアームのみを受容し、
前記受容部材は、
該受容部材を前記ベース部に回動可能に取着する取付部と、
第１のワイパーアームを受容する穴と、
前記穴に隣接して配置される回動停止部であって、前記第１のワイパーアームが前記穴に受容されるとき、該回動停止部が前記第１のワイパーアームに係合し、該受容部材が前記ベース部に対して回動することを防止する回動停止部と、
互いに対面し、かつ、互いに接近するように押圧可能となっている一対の可撓性翼状停止部を含む支持面と、
前記支持面から離間して該支持面に対面する係合面とを有し、
前記可撓性係合面と前記支持面とは、第２のワイパーアームの表面をぴったりと受容するような寸法のスロットを有し、
前記係合面は、
第１の側方支持部と、
前記第１の側方支持部に対面する第２の側方支持部と、
係合舌片とを含み、
前記係合舌片の一方の端部が、前記第１の側方支持部及び前記第２の側方支持部の双方に取付けられており、該係合舌片の反対側の端部が、自由であるとともに、前記支持面に対面する突出部を有しているコネクター。
［特徴５６］
前記第１の側方支持部及び前記第２の側方支持部は前記係合舌片とは独立して動き、該係合舌片は該第１の側方支持部及び該第２の側方支持部とは独立して動く特徴５５に記載のコネクター。
［特徴５７］
前記係合舌片は、前記突出部の反対側に位置する解除ノッチを有する特徴５５に記載のコネクター。
［特徴５８］
前記一対の可撓性翼状停止部は、前記スロットの長手軸に対して垂直の方向に沿って互いに接近するように押圧可能となっている特徴５５に記載のコネクター。
［特徴５９］
前記回動停止部は前記ベース部と一体に形成されている特徴５５に記載のコネクター。
［特徴６０］
前記受容部材は、少なくとも４つの異なるワイパーアームを受容し、該少なくとも４つの異なるワイパーアームに連結される構造部を有する特徴５５に記載のコネクター。
［特徴６１］
前記少なくとも４つの異なるワイパーアームは、Ｉ＆Ｌワイパーアームと、ＰＴＢワイパーアームと、第１のピンワイパーアームと、第２のピンワイパーアームとである特徴６０に記載のコネクター。
［特徴６２］
前記受容部材は凹部を有するキャップを含み、該キャップは、開位置から閉位置に回動し、該閉位置において、前記凹部は前記穴に受容された前記ワイパーアームに係合する特徴５５に記載のコネクター。
［特徴６３］
前記受容部材はワイパーアームを受容する第２の穴を有し、前記受容部材は一対の凹部を有するキャップを含み、該キャップは開位置から閉位置に回動し、該閉位置において、前記凹部は前記穴又は前記第２の穴の何れかに受容された前記ワイパーアームに係合する特徴５５に記載のコネクター。
［特徴６４］
フロントガラスワイパーにおいて、
ワイパーブレードと、
ワイパーアームと、
前記ワイパーアームに取付けられるコネクターとを備え、
前記コネクターは、
前記ワイパーブレードに取付けられるベース部と、
前記ベース部に回動可能に取着される受容部材とを備え、
前記受容部材は２種類のワイパーアームのみを受容し、
前記受容部材は、
該受容部材を前記ベース部に回動可能に取着する取付部と、
第１のワイパーアームを受容する穴と、
前記穴に隣接して配置される回動停止部であって、前記第１のワイパーアームが前記穴に受容されると、該回動停止部は前記第１のワイパーアームに係合し、該受容部材が前記ベース部に対して回動することを防止する回動停止部と、
互いに対面し、かつ、互いに接近するように押圧可能となっている一対の可撓性翼状停止部を含む支持面と、
前記支持面から離間して該支持面に対面する係合面とを有し、
前記可撓性係合面と前記支持面とは、第２のワイパーアームの表面をぴったりと受容するような寸法のスロットを有し、
前記係合面は、
第１の側方支持部と、
前記第１の側方支持部に対面する第２の側方支持部と、
係合舌片とを含み、
前記係合舌片の一方の端部が、前記第１の側方支持部及び前記第２の側方支持部の双方に取付けられており、該係合舌片の反対側の端部が、自由であるとともに、前記支持面に対面する突出部を有しているフロントガラスワイパー。
［特徴６５］
前記第１の側方支持部及び前記第２の側方支持部は前記係合舌片とは独立して動き、該係合舌片は該第１の側方支持部及び該第２の側方支持部とは独立して動く特徴６４に記載のフロントガラスワイパー。
［特徴６６］
前記係合舌片は前記突出部の反対側に位置する解除ノッチを有する特徴６４に記載のフロントガラスワイパー。
［特徴６７］
前記一対の可撓性翼状停止部は、前記スロットの長手軸に対して垂直の方向に沿って互いに接近するように押圧可能となっている特徴６４に記載のフロントガラスワイパー。
［特徴６８］
前記回動停止部は前記ベース部と一体に形成されている特徴６４に記載のフロントガラスワイパー。
［特徴６９］
前記受容部材は少なくとも４つの異なるワイパーアームを受容し、該少なくとも４つの異なるワイパーアームに連結される構造部を有する特徴６４に記載のフロントガラスワイパー。
［特徴７０］
前記少なくとも４つの異なるワイパーアームは、Ｉ＆Ｌワイパーアームと、ＰＴＢワイパーアームと、第１のピンワイパーアームと、第２のピンワイパーアームとである特徴６９に記載のフロントガラスワイパー。
［特徴７１］
前記受容部材は凹部を有するキャップを含み、該キャップは、開位置から閉位置に回動し、該閉位置において、前記凹部は前記穴に受容された前記ワイパーアームに係合する特徴６４に記載のフロントガラスワイパー。
［特徴７２］
前記受容部材はワイパーアームを受容する第２の穴を有し、前記受容部材は一対の凹部を有するキャップを含み、該キャップは、開位置から閉位置に回動し、該閉位置において、前記凹部は、前記穴又は前記第２の穴の何れかに受容された前記ワイパーアームに係合する特徴６４に記載のフロントガラスワイパー。
【手続補正２】
【補正対象書類名】特許請求の範囲
【補正対象項目名】全文
【補正方法】変更
【補正の内容】
【特許請求の範囲】
【請求項１】
ワイパーブレードと複数のタイプのワイパーアームとの連結に用いるキットにおいて、
容器と、
前記容器の内部に配置される一組のコネクターとを備え、
前記一組のコネクターは、
第１の種類のワイパーアームに含まれる少なくとも２つの異なるワイパーアームを受容し、該少なくとも２つの異なるワイパーアームに連結される構造部を有する第１のコネクターと、
第２の種類のワイパーアームに含まれる少なくとも２つの異なるワイパーアームを受容し、該少なくとも２つの異なるワイパーアームに連結される構造部を有する第２のコネクターと、
第３の種類のワイパーアームに含まれる少なくとも２つの異なるワイパーアームを受容し、該少なくとも２つの異なるワイパーアームに連結される構造部を有する第３のコネクターとを含み、
前記第１と、第２と、第３の種類は互いに異なっているキット。
【請求項２】
ワイパーブレードとワイパーアームとを連結するコネクターにおいて、
ワイパーブレードに取付けられるベース部と、
前記ベース部に取着された受容部材と、
を備え、前記受容部材は、以下のものを有する構造部、すなわち、
該受容部材の長手軸に沿って延びる第１のチャンネルと、
前記長手軸に沿って延びる第２のチャンネルであって、該第２のチャンネルは、前記第１のチャンネルに対して平行な第２のチャンネルと、
を有する構造部を有し、前記長手軸に対して垂直の方向に沿って見たときに、前記第１のチャンネル及び前記第２のチャンネルを同時に視認可能であるコネクター。
【請求項３】
フロントガラスワイパーにおいて、
ワイパーブレードと、
ワイパーアームと、
コネクターと、
を備え、前記コネクターは、
前記ワイパーブレードに取付けられるベース部と、
前記ベース部に取着された受容部材と、
を備え、前記受容部材は、以下のものを有する構造部、すなわち、
該受容部材の長手軸に沿って延びる第１のチャンネルと、
前記長手軸に沿って延びる第２のチャンネルであって、該第２のチャンネルは前記第１のチャンネルに対して平行な第２のチャンネルと、
を有する構造部を有し、前記ワイパーアームは、前記第１のチャンネル及び前記第２のチャンネルにぴったりと受けられ、前記ワイパーアームを前記第１のチャンネル及び前記第２のチャンネルにぴったりと受容する前は、前記長手軸に対して垂直の方向に沿って見たときに、前記第１のチャンネル及び前記第２のチャンネルを同時に視認可能であるフロントガラスワイパー。
【請求項４】
ワイパーブレードとワイパーアームとを連結するコネクターにおいて、
ワイパーブレードに取付けられるベース部と、
前記ベース部に取着された受容部材とを備え、
前記受容部材は、ただ１種類のワイパーブレードに取付けられる構造部を有し、
前記受容部材は、
支持面と、
前記支持面から離間して該支持面に対面する係合面とを有し、
前記可撓性係合面と前記支持面とは、ワイパーアームの表面をぴったりと受容するような寸法のスロットを有し、
前記係合面は、
第１の側方支持部と、
前記第１の側方支持部に対面する第２の側方支持部と、
係合舌片とを含み、
前記係合舌片の一方の端部が、前記第１の側方支持部及び前記第２の側方支持部の双方に取付けられており、該係合舌片の反対側の端部が、自由であるとともに、前記支持面に対面する突出部を有しているコネクター。
【請求項５】
ワイパーブレードと複数のタイプのワイパーアームとの連結に用いるキットにおいて、
容器と、
前記容器の内部に配置される一組のコネクターとを備え、
前記一組のコネクターは、
第１の種類のワイパーアームに含まれる少なくとも２つの異なるワイパーアームを受容し、該少なくとも２つの異なるワイパーアームに連結される構造部を有する第１のコネクターと、
第２の種類のワイパーアームに含まれる少なくとも２つの異なるワイパーアーム及び第３の種類のワイパーアームに含まれる少なくとも２つの異なるワイパーアームを受けて、これらのワイパーアームに連結される構造部を有する第２のコネクターとを含み、
前記第１と、第２と、第３の種類は互いに異なっているキット。
【請求項６】
ワイパーブレードとワイパーアームとを連結するコネクターにおいて、
ワイパーブレードに取付けられるベース部と、
前記ベース部に回動可能に取着される受容部材とを備え、
前記受容部材は２種類のワイパーアームのみを受容し、
前記受容部材は、
該受容部材を前記ベース部に回動可能に取着する取付部と、
第１のワイパーアームを受容する穴と、
前記穴に隣接して配置される回動停止部であって、前記第１のワイパーアームが前記穴に受容されるとき、該回動停止部が前記第１のワイパーアームに係合し、該受容部材が前記ベース部に対して回動することを防止する回動停止部と、
互いに対面し、かつ、互いに接近するように押圧可能となっている一対の可撓性翼状停止部を含む支持面と、
前記支持面から離間して該支持面に対面する係合面とを有し、
前記可撓性係合面と前記支持面とは、第２のワイパーアームの表面をぴったりと受容するような寸法のスロットを有し、
前記係合面は、
第１の側方支持部と、
前記第１の側方支持部に対面する第２の側方支持部と、
係合舌片とを含み、
前記係合舌片の一方の端部が、前記第１の側方支持部及び前記第２の側方支持部の双方に取付けられており、該係合舌片の反対側の端部が、自由であるとともに、前記支持面に対面する突出部を有しているコネクター。
【請求項７】
フロントガラスワイパーにおいて、
ワイパーブレードと、
ワイパーアームと、
前記ワイパーアームに取付けられるコネクターとを備え、
前記コネクターは、
前記ワイパーブレードに取付けられるベース部と、
前記ベース部に回動可能に取着される受容部材とを備え、
前記受容部材は２種類のワイパーアームのみを受容し、
前記受容部材は、
該受容部材を前記ベース部に回動可能に取着する取付部と、
第１のワイパーアームを受容する穴と、
前記穴に隣接して配置される回動停止部であって、前記第１のワイパーアームが前記穴に受容されると、該回動停止部は前記第１のワイパーアームに係合し、該受容部材が前記ベース部に対して回動することを防止する回動停止部と、
互いに対面し、かつ、互いに接近するように押圧可能となっている一対の可撓性翼状停止部を含む支持面と、
前記支持面から離間して該支持面に対面する係合面とを有し、
前記可撓性係合面と前記支持面とは、第２のワイパーアームの表面をぴったりと受容するような寸法のスロットを有し、
前記係合面は、
第１の側方支持部と、
前記第１の側方支持部に対面する第２の側方支持部と、
係合舌片とを含み、
前記係合舌片の一方の端部が、前記第１の側方支持部及び前記第２の側方支持部の双方に取付けられており、該係合舌片の反対側の端部が、自由であるとともに、前記支持面に対面する突出部を有しているフロントガラスワイパー。